(57)【要約】【課題】立ち上げ中に、室外機および室内機がそれぞれ誤配線を検知するための処理を行うことにより、様々なパターンの誤配線を検知することを可能とした空気調和装置の通信システムを構築する。【解決手段】１または複数の室内機１と１または複数の室外機４とを冷媒配管接続して空気調和を行う空気調和装置において、各機器間の通信を行うための通信システムであって、各室内機１および各室外機４は、立ち上げ時に信号の送受信処理を行い、信号の受信の有無、受信数または受信に係る信号の内容に基づいて、誤配線されているかどうかを判断する処理を行う室内機処理装置１０１、室外機処理装置４０１を備える。【選択図】図１
2010276204.tif 000002
【特許請求の範囲】
【請求項１】
１または複数台の室内機と１または複数台の室外機とを冷媒配管接続して空気調和を行う空気調和装置の各機器間における通信を行うための通信システムであって、
各室内機および各室外機は、
立ち上げ時に、信号の送受信処理を行い、前記信号の受信の有無、受信数または受信に係る信号の内容に基づいて、誤配線されているかどうかを判断する処理を行う制御装置を備えることを特徴とする空気調和装置の通信システム。
【請求項２】
前記室内機の前記制御装置は、誤配線されていないと判断すると、あらかじめ設定された通信に係るアドレスに基づいて、配線接続に係る前記室外機にアドレスを設定する処理を行うことを特徴とする請求項１記載の空気調和装置の通信システム。
【請求項３】
正しく配線された前記室内機および前記室外機を有する空気調和装置の通信システムに、追加機器に係る配線接続が行われると、
前記正しく配線された前記室内機および前記室外機の制御装置は、前記追加機器の前記立ち上げ時の処理により送信される信号の内容に基づいて、前記追加機器に係る誤配線の有無を判断する処理を行うことを特徴とする請求項１または２記載の空気調和装置の通信システム。
【請求項４】
前記正しく配線された前記室内機の制御装置は、システム内の誤配線を判断すると、前記空気調和装置の機器を集中管理する集中管理装置に誤配線の旨を発報することを特徴とする請求項３記載の空気調和装置の通信システム。
【請求項５】
前記集中管理装置は、さらに、公衆回線を介して通信可能な端末に対し、誤配線の旨を発報することを特徴とする請求項４記載の空気調和装置の通信システム。
【請求項６】
前記各室内機および前記各室外機は報知装置をさらに備え、
前記制御装置は、誤配線されていると判断すると前記報知装置に誤配線の旨を報知させることを特徴とする請求項１〜５のいずれかに記載の空気調和装置の通信システム。
【請求項７】
１台の室内機と１台の室外機とを配線接続する室内系統と、複数台の室内機を配線接続する集中系統とにより、通信の配線を行うことを特徴とする請求項１〜６のいずれかに記載の空気調和装置の通信システム。
【請求項８】
前記室内機の制御装置は、
前記室外機に送信した信号に基づく応答が所定時間内にない、または、複数の応答があると配線接続された前記室外機が１台でないとし、また、前記室外機からアドレスの設定要求がされないと判断すると、前記室外機に配線接続された室内機が複数台であるとして、誤配線していると判断することを特徴とする請求項７記載の空気調和装置の通信システム。
【請求項９】
前記室外機の制御装置は、
前記室内機からの信号が所定時間内にないと前記室内機が配線接続されていないとし、前記室内機に送信した信号に基づく応答が複数の応答があると複数台の前記室内機が配線接続されているとし、また、前記他の室外機からの信号を受信すると複数台の前記室外機が配線接続されているとして、誤配線していると判断することを特徴とする請求項７または８記載の空気調和装置の通信システム。
【発明の詳細な説明】
【技術分野】
【０００１】
この発明は、空気調和装置の通信システムに関するものである。特に、空調管理等を行うために各機器間を通信できるように接続した配線について誤配線を検知等するシステムに関するものである。
【背景技術】
【０００２】
従来の空気調和機自動アドレス設定システムでは、空気調和機における室外機のシリアル番号を基にアドレス設定ユニットを決定する。このアドレス設定ユニットが一定のシーケンスに従って、空気調和機内の室外機および室内機に対してアドレスを設定している。
【０００３】
また、従来の空気調和機自動アドレス設定システムでは、室内機・室外機それぞれに対し、制御用のアドレスを設定する制御用アドレス設定動作と、室内機に対し、対応する室外機を設定する系統アドレス認識動作の２段階によりアドレス設定が行われている。そして、系統アドレス認識動作において、他系統からの信号を室外機が受信した場合には、室外機に備えられた誤配線認識手段により誤配線を検知することを可能としている（例えば特許文献１、２参照）。
【先行技術文献】
【特許文献】
【０００４】
【特許文献１】特開平８−１７０８５１号公報
【特許文献２】特開２０００−８８３２１号公報
【発明の概要】
【発明が解決しようとする課題】
【０００５】
このように、従来の空気調和機自動アドレス設定システムでは、室外機に備えられた誤配線認識手段により誤配線を検知しているため、誤配線認識手段を介さずに通信が行われるようなパターンの誤配線の場合、誤配線を検知できないという問題があった。
【０００６】
また、従来の空気調和機自動アドレス設定システムでは、シリアル番号を基に一定のシーケンスによりアドレスの自動設定が行われる。このため、例えばユニット（室外機、室内機）の物理的な配置等に基づいてアドレスを設定しようとすると、シリアル番号を考慮してユニットを設置等の必要があるという問題点があった。
【０００７】
この発明は、上記のような問題を解決するためになされたもので、立ち上げ中に、室外機および室内機がそれぞれ誤配線を検知するための処理を行うことにより、様々なパターンの誤配線を検知することを可能とした空気調和装置の通信システムを構築するものである。
【課題を解決するための手段】
【０００８】
この発明に関わる空気調和装置の通信システムは、１または複数の室内機と１または複数の室外機とを冷媒配管接続して空気調和を行う空気調和装置において、各機器間の通信を行うための通信システムであって、各室内機および各室外機は、立ち上げ時に信号の送受信処理を行い、信号の受信の有無、受信数または受信に係る信号の内容に基づいて、誤配線されているかどうかを判断する処理を行う制御装置を備える。
【発明の効果】
【０００９】
この発明の空気調和装置の通信システムにおいては、立ち上げ時に、システム内の室内機、室外機のそれぞれの制御装置が、信号の送受信等を行い、それぞれ誤配線を検知するための処理を行うようにしたので、立ち上げ途中に様々なパターンの誤配線の検知を行うことができる。
【図面の簡単な説明】
【００１０】
【図１】本発明に係る空気調和装置の通信システムの構成を表す図である。
【図２】室内機処理装置１０１が行う立ち上げ時の処理のフローチャートである。
【図３】室外機処理装置４０１が行う立ち上げ時の処理のフローチャートである。
【図４】正常に接続している室内機１が誤配線を検知するフローチャートである。
【図５】正常に接続している室外機４が誤配線を検知するフローチャートである。
【図６】正常に接続された空気調和装置の通信システムを表す図である。
【図７】立ち上げ処理が正常に行われる場合の信号の流れを表す図である。
【図８】実施の形態１の誤配線された空気調和装置の通信システムを表す図である。
【図９】立ち上げ処理時に誤配線が生じている場合の信号の流れを表す図である。
【図１０】実施の形態２の誤配線された通信システムを表す図である。
【図１１】機器の追加により誤配線が生じている場合の信号の流れを表す図である。
【発明を実施するための形態】
【００１１】
実施の形態１．
図１は本発明の空気調和装置の通信システムの構成を表す図である。図１において、室内機１Ａ〜１Ｃは、熱交換器（図示せず）等を有し、対称空間の空気調和（空調）を行う装置である。通信系統の処理を行う装置については、室内機１Ａ〜１Ｃは、それぞれ室内機処理装置１０１Ａ〜１０１Ｃ、室内機記憶装置１０２Ａ〜１０２Ｃおよび室内機表示装置１０３Ａ〜１０３Ｃを有している。本実施の形態では、室内機処理装置１０１Ａ〜１０１Ｃは、例えばマイクロコンピューター等からなり、例えば立ち上げ（起動）時において、誤配線の検知に係る処理等を行う。また、室内機記憶装置１０２Ａ〜１０２Ｃは、例えばアドレス設定装置（図示せず）により、外部から設定されたシステム内における固有のアドレスのデータ（以下、アドレスという）を記憶する。また、例えば室内機処理装置１０１Ａ〜１０１Ｃが誤配線検知等、処理を行うためのプログラム等も記憶するようにしてもよい。報知装置である室内機表示装置１０３Ａ〜１０３Ｃは、それぞれ室内機処理装置１０１Ａ〜１０１Ｃの指示に基づく表示を行う。本実施の形態では、室内機表示装置１０３Ａ〜１０３Ｃは、例えばＬＥＤ（Light Emitting Diode：発光素子）等からなり、誤配線検知に係る旨の表示を行うものである。ここでは発光等による表示を行うようにしているが、音等で報知を行うようにしてもよい。
【００１２】
一方、室外機４Ａ〜４Ｃは例えば圧縮機（図示せず）等を有し、それぞれ室内機１Ａ〜１Ｃとの間で冷媒配管が接続されて冷媒回路を形成する。そして、室内機１Ａ〜１Ｃが空調を行うために必要な熱量を供給する。通信系統に係る装置については、室外機４Ａ〜４Ｃは、室外機処理装置４０１Ａ〜４０１Ｃ、室外機記憶装置４０２Ａ〜４０２Ｃおよび室外機表示装置４０３Ａ〜４０３Ｃを有している。室外機処理装置４０１Ａ〜４０１Ｃも、例えばマイクロコンピューター等からなり、本実施の形態においては、例えば立ち上げ（起動）時において、アドレス設定に係る処理、誤配線の検知に係る処理等を行う。また、室外機記憶装置４０２Ａ〜４０２Ｃ、室外機表示装置４０３Ａ〜４０３Ｃは、それぞれ室内機記憶装置１０２Ａ〜１０２Ｃおよび室内機表示装置１０３Ａ〜１０３Ｃと同様の機能を果たす装置である。ここで、本実施の形態の室外機４Ａ〜４Ｃは、室内機１Ａ〜１Ｃと異なり、アドレス設定装置を有しておらず、室内機１Ａ〜１Ｃの指示に基づいてアドレスを設定し、室外機記憶装置４０２Ａ〜４０２Ｃに記憶する。このため、指示に基づくアドレスを設定するまでの間、室外機記憶装置４０２Ａ〜４０２Ｃは、アドレスとしてデフォルト値（初期設定値。実際の運転時には設定されることがないアドレス）を記憶しているものとする。
【００１３】
ここで、室内機１Ａ〜１Ｃは、それぞれ室内系端子台２Ａ〜２Ｃを有し、室内系伝送線１４Ａ〜１４Ｃを介して室外機４Ａ〜４Ｃと１対１の関係で通信接続（以下、接続という）し、通信を行う。このため、図１において、室外機４Ａ〜４Ｃは、直接的には、それぞれ室内機１Ａ〜１Ｃとしか通信を行わず、他の機器と通信を行う場合には、室内機１Ａ〜１Ｃを介して行うものとする。また、室外機４Ａ〜４Ｃは、それぞれ室内機１Ａ〜１Ｃとの間で通信を行い、運転制御等を行うことができる。
【００１４】
また、室内機１Ａ〜１Ｃは、室内系端子台２Ａ〜２Ｃとは別系統の通信を行うための集中系端子台３Ａ〜３Ｃを有し、集中系伝送線１３Ａ〜１３Ｃを介して集中管理装置５等と接続する。ここで、室内機１Ａ〜１Ｃの室内機処理装置１０１Ａ〜１０１Ｃは、立ち上げ処理を行っている間は、室内系端子台２Ａ〜２Ｃと集中系端子台３Ａ〜３Ｃとの間で、内部的なデータの授受を遮断する。このため、配線が正常であれば、立ち上げ処理中の室内機１Ａ〜１Ｃおよび室外機４Ａ〜４Ｃは、室内系端子台２Ａ〜２Ｃ、室内系伝送線１４Ａ〜１４Ｃを介してのみ通信を行うことができる。以下、各装置について特に区別を行う必要がない場合には、添え字を省略して記載するものとする。
【００１５】
集中管理装置５は空気調和装置の運転状態を管理する装置である。ここで、集中管理装置５は、集中系伝送線１３Ｃとは別系統の伝送線１１を介してＩ／Ｆ（インターフェース）６と接続されている。また、Ｉ／Ｆ６は公衆回線等１２に接続しており、これにより、集中管理装置５は、公衆回線等１２を介して遠隔地にある端末との通信を行うことができる。遠隔監視装置８はＩ／Ｆ７と伝送線１１を介して公衆回線等１２と接続されている。遠隔監視装置８は、例えば公衆回線等１２を介して集中管理装置５と通信を行い、室内機１、室外機４が立ち上げ時に誤配線を検知した場合、その旨を管理者用端末９、サービスマン用端末１０に、電子メール等を送信し、ビル管理者、サービスマンに連絡することができる。ここで、図１のシステムでは室内機１Ａ〜１Ｃ、室外機４Ａ〜４Ｃを３台ずつ記載しているが、台数は制限するものではない。また、遠隔監視装置８の台数についても制限するものではない。
【００１６】
以上のような構成の通信システムにおいて、室内機１、室外機４は、それぞれ誤配線の検知に係る処理を行う。
【００１７】
図２は室内機処理装置１０１が行う立ち上げ処理における誤配線検知等に係る処理のフローチャートを表す図である。図２に基づいて、室内機１の室内機処理装置１０１が行う処理について説明する。ここで、室内機処理装置１０１は、自己のアドレス以外のアドレスを送信先とする信号に係るコマンド等に関しては処理を行わないものとして説明する。室内機処理装置１０１は、電源ＯＮによる立ち上げ直後に、室外機４のデフォルト値のアドレスを送信先として、立ち上げ中の室外機４の存在を確認するためのコマンド（以下、室外機確認コマンドという）を含む信号を室内系端子台２を介して送信する（Ｓ１０１）。以下、コマンド等の通信については、そのコマンドを含む信号の送受信により行うものとする。
【００１８】
室内機処理装置１０１は立ち上げ処理開始からの所定の時間であるタイムアウト時間が経過しても、室外機確認コマンドに対する応答が無いと判断すると、アドレスを設定すべき室外機４が接続されていないものと検知し（Ｓ１０２〜１０４）、これにより誤配線を検知した旨を室内機表示装置１０３に表示させて（Ｓ１１４）、異常終了として処理を終了する。
【００１９】
また、室外機確認コマンドに対する応答があったと判断した場合において（Ｓ１０２）、複数の応答があったものと判断すると（Ｓ１０５）、立ち上げ中の室外機４が複数接続しているものと検知する（Ｓ１０６）。そして、誤配線検知した旨を室内機表示装置１０３に表示させて（Ｓ１１４）、異常終了として処理を終了する。
【００２０】
一方、室外機確認コマンドに対して１台の室外機４からのみ応答があったものと判断すると（Ｓ１０２、Ｓ１０５）、既に立ち上げが完了している室外機４に対し、誤配線により立ち上げ中の室内機１が接続されていることを検知させるためのコマンド（以下、室内機検知コマンドという）を、例えば送信先を設定しない一斉同報にて送信する（Ｓ１０７）。例えば、室内機検知コマンドを受信した室外機４は、立ち上げ中であるか、既に立上げが完了しているかの判断を行う。そして、立ち上げ中の室外機４からは室内機１の存在を確認するコマンド（以下、室内機確認コマンドという）が送信される。室内機１は室内機確認コマンドを受信すると（Ｓ１０８）、室内機確認コマンドに対する応答を送信する（Ｓ１０９）。
【００２１】
１台の室内機１のみから室内機確認コマンドに対する応答の旨を含む信号を受信した室外機４からは、その室内機１に対してアドレス設定を要求するコマンド（以下、設定要求コマンドという）が送信される。設定要求コマンドを受信すると（Ｓ１１０）、室内機記憶装置１０２に記憶された自己のアドレス＋５０を、要求に係る室外機４のアドレスとして設定するコマンド（以下、アドレス設定コマンドという）を送信する（Ｓ１１３）。そして、正常終了として処理を終了する。
【００２２】
一方で、タイムアウト時間を経過しても、室外機４からの設定要求コマンドを受信しないものと判断すると（Ｓ１１１）、要求に係る室外機４には複数の室内機１が接続されているものと検知する（Ｓ１１２）。そして、誤配線検知した旨を室内機表示装置１０３に表示させて（Ｓ１１４）、異常終了として処理を終了する。
【００２３】
図３は室外機処理装置４０１が行う立ち上げ時の誤配線検知等に係る処理のフローチャートを表す図である。図３に基づいて、室外機４の室外機処理装置４０１が行う処理について説明する。室外機処理装置４０１についても、自己のアドレス以外のアドレスを送信先とする信号に係るコマンド等に関しては処理を行わないものとして説明する。室外機処理装置４０１は、電源ＯＮによる立ち上げ直後に、室内機１から送信される室外機確認コマンドを受信すると（Ｓ２０１）、室外機確認コマンドに対する応答を送信する（Ｓ２０４）。
【００２４】
一方、室外機処理装置４０１は、タイムアウト時間が経過しても、室外機確認コマンドの受信がないと判断すると、アドレス設定処理を行う室内機１が接続されていないものと検知し（Ｓ２０２、２０３）、誤配線検知した旨を室外機表示装置４０３に表示させて（Ｓ２１３）、異常終了として処理を終了する。
【００２５】
また、Ｓ２０４において応答を送信した後、さらに、立ち上げ中の室外機４同士が接続されていることを検知するためのコマンド（以下、室外機検知コマンドという）を送信する（Ｓ２０５）。例えば、立ち上げ中の室外機４同士が接続されていると、室外機検知コマンド送信とほぼ同じタイミングで他の立ち上げ中の室外機４からも室外機検知コマンドが送信されてくることになる。このため、室外機検知コマンドを受信したものと判断すると（Ｓ２０６）、立ち上げ中の室外機４同士が接続されているものと検知し（Ｓ２０７）、誤配線検知した旨を室外機表示装置４０３に表示させて（Ｓ２１３）、異常終了として処理を終了する。
【００２６】
室外機確認コマンドに対する応答を１台の室外機４からのみ受信した室内機１は、上述のＳ１０７のように、室内機検知コマンドを送信する。室外機処理装置４０１は、室内機検知コマンドを受信すると（Ｓ２０８）、室内機確認コマンドを送信する（Ｓ２０９）。
【００２７】
室外機４は室内機確認コマンドに対する室内機１の応答を複数受信したと判断すると（Ｓ２１０）、室内機１が複数接続されているものと検知する（Ｓ２１１）。そして、誤配線検知した旨を室外機表示装置４０３に表示させて（Ｓ２１３）、異常終了として処理を終了する。
【００２８】
一方、室内機確認コマンドに対して１台の室内機１からのみ応答を受信したと判断すると（Ｓ２１０）、室外機４は室内機１に対して設定要求コマンドを一斉同報にて送信する（Ｓ２１２）。
【００２９】
上述のＳ１１３のように、設定要求コマンドを受信した室内機１からは、アドレス設定コマンドが送信される。このアドレス設定コマンドを受信すると（Ｓ２１４）、コマンドに含まれるアドレスを室外機記憶装置４０２に記憶させる（Ｓ２１５）。そして、正常終了として処理を終了する。
【００３０】
図４は既に正常に配線されて通信および運転を行っている室内機１が誤配線を検知する場合の処理のフローチャートを表す図である。室内機処理装置１０１は、定常処理実行中（Ｓ３０１）において、室内系伝送線１４を介して接続している室外機４から、立ち上げ中の室内機１が接続されている誤配線を検知した旨の発報（信号送信）を受信したかどうかを判断する（Ｓ３０２）。発報を受信したものと判断すると、誤配線検知に係る割り込み処理を開始し（Ｓ３０３）、誤配線検知した旨を室内機表示装置１０３に表示させる（Ｓ３０４）。さらに、集中管理装置５に誤配線検知した旨を発報して（Ｓ３０５）、定常処理実行（Ｓ３０１）に戻る。
【００３１】
発報を受信した集中管理装置５は、さらに公衆回線１２等を介して遠隔監視装置８に誤配線検知した旨の信号を送信する。遠隔監視装置８は、管理者用端末９、サービスマン用端末１０等に電子メールを送信し、誤配線を通知する。このため、空気調和装置に対し、遠隔地にいるビル管理者、サービスマン等に知らせることができる。
【００３２】
図５は既に正常に配線されて通信および運転を行っている室外機４が誤配線を検知する場合の、室外機処理装置４０１による割り込み処理のフローチャートを表す図である。室外機処理装置４０１は、定常処理実行中（Ｓ４０１）において、上述のＳ１０７のように、立ち上げ中の室内機１からの室内機検知コマンドを受信したかどうかを判断する（Ｓ４０２）。本来、正常に配線されていれば、立ち上げが完了している室外機４には、立ち上げ中の室内機１から室内機検知コマンドが送信されることはない。それにも関わらず、室内機検知コマンドを受信したものと判断すると、誤配線がなされているものとして、誤配線検知に係る割り込み処理を開始する（Ｓ４０３）。室外機記憶装置４０２に記憶された自己のアドレスがデフォルト値でないことを確認し、誤配線検知した旨を室外機表示装置４０３に表示させる（Ｓ４０４）。そして、室内系伝送線１４を介して接続している室内機１にその旨を発報して（Ｓ４０５）、定常処理実行（Ｓ４０１）に戻る。
【００３３】
図６は、室内機１と室外機４とが３台ずつ正常に接続された空気調和装置の通信システムを表す図である。室内機１Ａ〜１Ｃは、上述したように、正常に立ち上げ処理が完了するまでの間、室内系端子台２Ａ〜２Ｃと集中系端子台３Ａ〜３Ｃとの内部的なデータの授受を遮断する。
【００３４】
ここで、室内機１Ａ〜１Ｃには、上述したアドレス設定装置により１〜５０までのアドレスを重複しないように設定される。そしてここでは、立ち上げ処理開始時に、設定された自己のアドレスを室内機記憶装置１０２に記憶しているものとする（ここでは例として、室内機１Ａ〜１Ｃに対して、それぞれ１、２、３とするアドレスが設定されているものとする）。一方、アドレス設定装置を有していない室外機４Ａ〜４Ｃには、立ち上げ処理開始時においてアドレスを設定することが出来ないため、アドレスとしてデフォルト値が室外機記憶装置４０２Ａ〜４０２Ｃに記憶されているものとする。
【００３５】
図７は正しく配線がなされ、立ち上げ処理が正常に行われる場合の信号の流れを表す図である。図７は、先述した図２〜図５において、室内機処理装置１０１および室外機処理装置４０１により正常終了までの処理が行われた場合の流れを表している。ここでは、各室内機１、室外機４が一斉に立ち上げ処理を行う場合について説明する。
【００３６】
各室内機１は起動直後に室外機４のデフォルト値のアドレスに対し、室外機確認コマンドを送信する。正常に接続されている場合、立ち上げ中に１台の室内機１と通信が可能なのは１台の室外機４のみとなる（ここでは室内機１Ａと室外機４Ａ、室内機１Ｂと室外機４Ｂ、室内機１Ｃと室外機４Ｃがそれぞれ通信可能となる）。このため、１台の室外機４のみから応答が送信（返信）される。
【００３７】
一方、室外機４は、室外機確認コマンドを受信し、応答を送信した後、室外機検知コマンドを一斉同報にて送信する。正常に接続されている場合、立ち上げ処理中は、室外機４同士の通信は遮断されているため、室外機４が他の室外機４からの室外機検知コマンドを受信して誤配線を検知することはない。
【００３８】
また、室内機１は、立ち上げ中の室外機確認コマンドの応答を、１台の室外機４からのみ受信したことを受けて、立ち上げ完了した室外機４に対する室内機検知コマンドを一斉同報にて送信する。ここで、室外機４Ａ〜４Ｃは立ち上げ処理中であり、アドレスはデフォルト値であるため、室外機４Ａ〜４Ｃは室内機検知コマンドを受信しても処理を行わず、誤配線を検知することはない。
【００３９】
室外機４は室内機検知コマンドを受信した後、室内機１のアドレスとして設定可能な全アドレス（ここではアドレス１〜５０）に対し室内機確認コマンドを送信する。ここでは室外機４Ａ〜４Ｃと室内機１Ａ〜１Ｃとは、それぞれ１対１の関係で通信を行っているため、１台の室内機１のみから応答が送信される。
【００４０】
室外機４は、室内機確認コマンド送信に対し、１台からのみ応答が送信されたことを受け、対応する室内機１からのアドレス設定を受けるため、設定要求コマンドを一斉同報にて送信する。
【００４１】
室内機１は、設定要求コマンドを受信した後、デフォルト値のアドレスを送信先として、アドレス設定コマンドを送信して立上げ処理を完了する。ここでは、室内機１Ａ〜１Ｃは室外機４Ａ〜４Ｃとそれぞれ１対１の関係で接続されているため、１台の室内機１からのアドレス設定コマンドは１台の室外機４にのみ送信される。
【００４２】
各室外機４はアドレス設定コマンドを受信すると、自己のアドレスをそれぞれ５１、５２、５３に設定し、立ち上げ処理を完了する。このように、正常に室内機１と室外機４が接続されている場合に立ち上げ処理を行うと、各室外機４に対し、対応する室内機１のアドレスに対応したアドレス（対応する室内機１のアドレス＋５０）が設定される。
【００４３】
図８は実施の形態１に係る誤配線がなされた空気調和装置の通信システムを表す図である。図８では、室内機１Ｂと室外機４Ｂとについて、室内系伝送線１４Ｂが集中系端子台３Ｂに接続されている。また、室内機１Ｃと室外機４Ｃとの関係について、室内系端子台２Ｃと集中系端子台３Ｃとの間を端子台渡り伝送線１５Ｃによって接続している。ここで、室内機１Ａ、１Ｂ、１Ｃに対して、それぞれ１、２、３とするアドレスが設定されている。また、室外機４Ａ、４Ｂ、４Ｃについては、それぞれデフォルト値のアドレスが室外機記憶装置４０２Ａ、４０２Ｂ、４０２Ｃに記憶されているものとする。本発明の空気調和装置の通信システムを上記のような誤配線が行われた系統に適用したものを実施の形態１とする。
【００４４】
図９は立ち上げ処理において、誤配線が生じている場合の信号の流れを表す図である。先述した図２〜図５の異常終了の処理が行われるまでの流れを表している。図９に基づいて、誤配線によって接続された場合において、一斉に立ち上げ処理を行った際の誤配線検知の手順を説明する。
【００４５】
各室内機１は起動直後に室外機４のデフォルト値のアドレスに対し、室外機確認コマンドを送信する。正常に接続されている室内機１Ａには室外機４Ａのみから応答が送信される。
【００４６】
室内機１Ｂは室内系端子台２Ｂに接続されている室外機４が存在しないため、室外機確認コマンドに対する応答をタイムアウト時間までに受信することができない。このため、誤配線検知した旨を表示して異常終了として処理を終了する。
【００４７】
また、室内機１Ｃは、室内系端子台２Ｃおよび室内系伝送線１４Ｃを介して接続されている室外機４Ｃから応答が送信される。また、室内系端子台２Ｃ、端子台渡り伝送線１５Ｃ、集中系端子台３Ｃ、集中系伝送線１３Ｃ、室内機１Ｂの集中系端子台３Ｂおよび室内系伝送線１４Ｂを介して、室外機４Ｂからも応答が送信される。このため、立ち上げ中の室外機４が複数接続されているものとして、誤配線検知した旨を表示して異常終了として処理を終了する。
【００４８】
一方、室外機４は、室外機確認コマンドを受信し、応答を送信した後、室外機検知コマンドを一斉同報にて送信する。室外機４Ａは室内機１Ａと正常に接続されており、室外機４Ａは他の室外機４から送信された室外機検知コマンドを受信することはない。
【００４９】
一方、室外機４Ｂおよび室外機４Ｃは、室内系端子台２Ｃ、端子台渡り伝送線１５Ｃ、集中系端子台３Ｃ、集中系伝送線１３Ｃ、室内機１Ｂの集中系端子台３Ｂおよび室内系伝送線１４Ｂを介して接続されている。このため、互いが送信した室外機検知コマンドを互いに受信する。したがって、立ち上げ中の室外機４同士が接続されている誤配線であるものと検知して、誤配線検知した旨を表示して異常終了として処理を終了する。
【００５０】
また、室内機１Ａは、立ち上げ中の室外機確認コマンドの応答を、室外機４Ａからのみ受信したことを受けて、立ち上げ完了した室外機４に対する室内機検知コマンドを一斉同報にて送信する。ここで、室外機４Ａは立ち上げ処理中であり、アドレスはデフォルト値であるため、室内機検知コマンドを受信しても処理を行わず、誤配線を検知することはない。
【００５１】
室外機４Ａは室内機検知コマンドを受信した後、室内機１のアドレスとして設定可能な全アドレス（ここではアドレス１〜５０）に対し室内機確認コマンドを送信する。ここでは室内機１Ａから応答が送信される。
【００５２】
室外機４Ａは、室内機確認コマンド送信に対し、室内機１Ａから応答が送信されたことを受け、室内機１Ａからのアドレス設定を受けるため、設定要求コマンドを送信する。
【００５３】
室内機１Ａは、設定要求コマンドを受信した後、デフォルト値のアドレスを送信先として、アドレス設定コマンド（ここでは自己のアドレス＋５０である５１が設定アドレスとなる）を室外機４Ａに送信して完了する。
【００５４】
室外機４Ａはアドレス設定コマンドを受信すると、自己のアドレスを５１に設定し、立ち上げ処理を完了する。
【００５５】
上記のように、図８に示した誤配線状態で、立ち上げ処理を行った場合、正常に接続された室内機１Ａと室外機４Ａとについては、正常に立ち上げ処理を終了する。一方、誤配線された室内機１Ｂおよび１Ｃ並びに室外機４Ｂおよび４Ｃは、立ち上げ処理において誤配線を検知するため、異常終了する。このようにして、一斉立ち上げにおいて空気調和装置の通信システムにおける誤配線を検知することができる。
【００５６】
以上のように、実施の形態１の通信システムによれば、室内機１の室内機処理装置１０１、室外機４の室外機処理装置４０１が、それぞれ立ち上げ時に誤配線検知等に係る処理を行うようにしたので、誤配線を立ち上げ時に検知し、対処することが可能となる。そして、室内機１が、アドレス設定装置により設定された自己のアドレスに対応するアドレスを室外機４に設定することができるため、室外機等のシリアル番号によらず、通信系統、冷媒系統を明確にすることが可能な任意のアドレス設定を行うことができる。
【００５７】
実施の形態２．
上述の実施の形態１では、複数の室内機１と室外機４とが誤配線によって接続された状態で、一斉立ち上げを行った場合における誤配線検知の例を示した。本実施の形態は、既に正常に接続している通信系統に、新たに室内機１および室外機４を追加して接続する際に、誤配線を行ってしまった場合の誤配線検知に係る手順を説明する。
【００５８】
図１０は実施の形態２に係る誤配線がなされた空気調和装置の通信システムを表す図である。図１０は、室内機１と室外機４とを２台ずつ有する空気調和装置を表している。室内機１Ａと室外機４Ａとは、正常に接続されて既に通信を行い、空調等の運転を行っている。ここで、室内機１Ａのアドレスは１であり、室外機４Ａのアドレスは５１であるものとする。また、室内機１Ｂと室外機４Ｂとの関係については、室内系端子台２Ｂと集中系端子台３Ｂとの間を端子台渡り伝送線１５Ｂによって接続している。ここで、室内機１Ｂのアドレスは２であり、室外機４Ｂのアドレスはデフォルト値であるものとする。
【００５９】
図１１は追加に係る立ち上げ処理において、誤配線が生じている場合の信号の流れを表す図である。図１１に基づいて、誤配線によって接続された場合における、追加の立ち上げ処理を行った際の誤配線検知の手順を説明する。
【００６０】
室内機１Ｂは起動直後に室外機４のデフォルト値のアドレスに対し、室外機確認コマンドを送信する。ここで、正常に運転している室外機４Ａは、室内系端子台２Ａおよび集中系端子台３Ａ、集中系伝送線１３Ｂ、集中系端子台３Ｂを介して室内機１Ｂとの通信が可能であるが、既にアドレスが５１に設定されているため、室外機確認コマンドに対する処理を行わない。そのため、室外機４Ｂからのみ応答が送信される。
【００６１】
室外機４Ｂは室外機確認コマンドを受信し、応答を送信した後、室外機検知コマンドを一斉同報にて送信する。室内機１Ａおよび室外機４Ａは正常に接続され、通信を行っている。このため、室外機４Ａに対し、室内系伝送線１４Ａ、室内系端子台２Ａ、集中系端子台３Ａ、集中系伝送線１３Ｂ、集中系端子台３Ｂ、端子台渡り伝送線１５Ｂ、室内系端子台２Ｂおよび室内系伝送線１４Ｂを介して室外機検知コマンドが送信される。しかしながら、室外機４Ａは既に立ち上げが完了し、アドレスが５１に設定されているため、室外機検知コマンドに対する処理を行わない。
【００６２】
室内機１Ｂは、立ち上げ中の室外機確認コマンドの応答を、室外機４Ｂからのみ受信したことを受けて、室内機検知コマンドを立ち上げ完了した室外機４に対する一斉同報にて送信する。ここで、室外機４Ｂは立ち上げ処理中であり、アドレスはデフォルト値であるため、室内機検知コマンドを受信しても処理を行わない。
【００６３】
一方、室外機４Ａは、端子台渡り伝送線１５Ｂ、集中系端子台３Ｂ、集中系伝送線１３Ｂ、集中系端子台３Ａ、室内系端子台２Ａおよび室内系伝送線１４Ａを介して、室内機検知コマンドを受信する。ここで、室外機４Ａは既に正常な接続により通信を行っており、立ち上げ処理中ではない。また、アドレスが５１に設定されている（デフォルト値でない）。そのため、受信した室内機検知コマンドに基づいて、立ち上げ中の室内機１が接続されているものとして、誤配線検知した旨を表示する。また、正常な接続で通信を行っている室内機１Ａに対しその旨を発報する。
【００６４】
室内機１Ａは、室外機４Ａから誤配線を検知した旨の発報を受信すると、誤配線検知した旨を表示し、集中管理装置５に発報する。上述したように、集中管理装置５から、例えば遠隔地にいるビル管理者、サービスマン等に通知される。
【００６５】
室外機４Ｂは室内機検知コマンドを受信した後、室内機１のアドレスとして設定可能な全アドレスに対し室内機確認コマンドを送信する。ここでは室内機１Ａおよび室内機１Ｂから応答の旨の信号が送信されることになるため、室外機４Ｂは室内機が複数接続されているものとして、誤配線検知した旨を表示して異常終了として処理を終了する。
【００６６】
また、室内機１Ｂは室外機４Ａからの設定要求コマンドを受信することができないため、立ち上げ処理を完了することが出来ない。そして、タイムアウト時間が経過すると立ち上げ処理を異常終了する。
【００６７】
上記のように、図１０に示した誤配線状態で、立ち上げ処理を行った場合、誤配線された室内機１Ｂは立ち上げ処理を完了することが出来ずにタイムアウト時間が経過するため、誤配線検知した旨を表示して異常終了する。また、室外機４Ｂについても、誤配線検知した旨を表示して異常終了する。
【００６８】
そして、既に正常に接続されていた室内機１Ａおよび室外機４Ａについては、新たに接続された通信系統が誤配線であることを検知して誤配線検知した旨を表示する。そして、集中管理装置５に対しその旨を発報する。これにより、ビル管理者等に通知可能となる。
【００６９】
以上のように、実施の形態２の通信システムによれば、立ち上げの際に誤配線に対する対処を行うことで、既に正常に接続されている室内機１、室外機４の通信等に影響しないように素早く対応することができる。また、誤配線の影響を受けて検知をした室内機１、室外機４が誤配線検知の旨を室外機表示装置４０３に表示させるようにしたので、通信システムにおける影響範囲を特定することができる。さらに、既に立ち上がりを完了した室内機１から、集中管理装置５に誤配線検知の旨を発報するようにしたので、集中管理装置５から、公衆回線１２等を介して遠隔地にいるビル管理者、サービスマン等にも誤配線を知らせることができる。
【符号の説明】
【００７０】
１，１Ａ〜１Ｃ  室内機、２，２Ａ〜２Ｃ  空気調和室内機室内系端子台、３，３Ａ〜３Ｃ  空気調和室内機集中系端子台、４，４Ａ〜４Ｃ  室外機、５  集中管理装置、６，７  インターフェース（Ｉ／Ｆ）、８  遠隔監視装置、９  管理者用端末、１０  サービスマン用端末、１１  伝送線、１２  公衆回線、１３，１３Ａ〜１３Ｃ  集中系伝送線、１４，１４Ａ〜１４Ｃ  室内系伝送線、１５Ｂ，１５Ｃ  端子台渡り伝送線、１０１，１０１Ａ〜１０１Ｃ  室内機処理装置、１０２，１０２Ａ〜１０２Ｃ  室内機記憶装置、１０３，１０３Ａ〜１０３Ｃ  室内機表示装置、４０１，４０１Ａ〜４０１Ｃ  室外機処理装置、４０２，４０２Ａ〜４０２Ｃ  室外機記憶装置、４０３，４０３Ａ〜４０３Ｃ  室外機表示装置。
【図１】
2010276204.tif 000003
【図２】
2010276204.tif 000004
【図３】
2010276204.tif 000005
【図４】
2010276204.tif 000006
【図５】
2010276204.tif 000007
【図６】
2010276204.tif 000008
【図７】
2010276204.tif 000009
【図８】
2010276204.tif 000010
【図９】
2010276204.tif 000011
【図１０】
2010276204.tif 000012
【図１１】
2010276204.tif 000013